(57)【特許請求の範囲】
【請求項１】
複数に分割されたユニットを台車に載せて昇降路へ続く開口部真上に移動し、移動した台車上のユニットを開口部上方に設置した吊元枠で吊上げておき、開口部上から台車等を取除いた後、吊上げたユニットを開口部から昇降路内へ下降し組立てることを特徴とするエレベータユニットの組立工法。
【請求項２】
最上位に位置するユニットを上部ユニットと下部ユニットと
に分割し、分割した上部ユニットを台車に載せて昇降路へ続く開口部真上に移動し、移動した台車上の上部ユニットを開口部上方に設置した吊元枠で吊上げておき、開口部上から台車を移動し、再び、下部ユニットを台車で開口部真上に移動させた後、吊上げた上部ユニットを台車上の下部ユニットの上に降ろして一体のユニットに締結し、締結したユニットを吊元枠で再び吊上げておき、開口部上から台車等を取除き、吊上げたユニットを降ろして組立てることを特徴とするエレベータユニットの組立工法。
【請求項３】
上部ユニットと下部ユニットは、一体に締結された後にガイドレールが後付けされることを特徴とする請求項２記載のエレベータユニットの組立工法。
【請求項４】
開口部の開口周縁に配置セットされるベース部材と、ベース部材から立上がる立枠と、立枠に両端支持され開口部を跨ぐ上梁と、上梁に設けられた滑車とで吊元枠を構成する一方、前記ベース部材に、滑車に掛け回わされた吊りロープを牽引制御する揚重機を設置し、
吊元枠は、側方へ張り出した張り出し状態と収納された収納状態とに回動可能な支え枠によって支持されていることを特徴とするエレベータユニットの吊上げ装置。
【請求項５】
吊元枠の解体時に滑車が設けられた上梁を、昇降路に沿って組立てられた最上階ユニットの最上部に設置してエレベータ機器等を上げ降ろしする吊元手段として利用することを特徴とする請求項４記載のエレベータユニットの吊上げ装置。
【発明の詳細な説明】
【０００１】
【発明の属する技術分野】
この発明は、エレベータユニットの組立工法とそのユニットの搬入装置及び吊上げ装置に関する。
【０００２】
【従来の技術】
従来、現地における工事期間短縮を目的としてエレベータのユニット工法が実用化されている。
【０００３】
ユニット工法の概要は、予め工場内において鉄骨構造の昇降路枠を高さ方向でいくつかに分割し、分割した昇降路枠を、エレベータの昇降路用品を芯出した状態で取付けてユニット化する。
【０００４】
ユニット化した鉄骨構造の昇降路枠を、トラックへ載せて現地まで運び、現地においてユニット化した昇降路枠を吊上げ装置によって吊上げ、吊上げた昇降路枠を昇降路に沿って下降させ、下から順にユニット同志を締結していくことで組立てが迅速に完了するようにしたものである。
【０００５】
【発明が解決しようとする課題】
ユニットを下から順に組立てるユニット工法において、複数に分割されたユニットを上げ降ろしする吊上げ装置は、昇降路枠より一回わり大きな構造で、新たに昇降路に沿って据付ける必要があるため、吊上げ装置を据付ける据付け作業が大がかりで大変面倒であること。
【０００６】
また、昇降路枠組立完了後は、再び取外す必要があり、吊上げ装置の据付け作業、取外し作業に多大の時間と労力が必要であること。
【０００７】
また、昇降路の内径を大きく確保する必要があり、建屋によってはスペースの確保が難しくなる等の不具合を招くようになること。
【０００８】
また、昇降路の近くまで搬送されて来たユニットは、その場で吊上げられた後、吊上げ状態のまま昇降路の真上まで横移動させるため、吊上げる垂直荷重の外に、横移動が加わる結果、吊上げ装置は高い支持剛性が要求されること。
【０００９】
また、ユニットが横置きの姿勢で搬送されて来た場合には、吊上げながら昇降路の真上へ移動させるため、横置きのユニットが起きあがるにつれて昇降路側へ向かう大きな力が働き、ユニットが設置面から離れると同時に重量のあるユニットが前後に大きく揺れるために、安全性の面からその揺れが起きないよう抑える複数の作業員が必要となること等の問題を有していた。
【００１０】
そこで、この発明は、前記問題点の解消を図ったエレベータユニットの組立工法とそのユニットの搬入装置及び吊上げ装置を提供することを目的としている。
【００１１】
【課題を解決するための手段】
前記目的を達成するために、この発明の請求項１によれば、複数に分割されたユニットを台車に載せて昇降路へ続く開口部真上に移動し、移動した台車上のユニットを開口部上方に設置した吊元枠で吊上げておき、開口部上から台車等を取除いた後、吊上げたユニットを開口部から昇降路内へ下降し組立てることを特徴とする。
【００１２】
これにより、ユニットは開口部の真上で吊上げればよいため、吊上げ時にユニットが大きく揺れることはなく、ユニットを抑える作業員も最少で済むようになる。また、ユニット吊上げ時の大きな揺れ、及び昇降路までの横移動がなくなるため、高い支持剛性は要求されず、開口部上方に設置した吊元枠で容易にユニットの上げ降ろしが行なえるようになる。
【００１３】
また、この発明の請求項２によれば、最上位に位置するユニットを上部ユニットと下部ユニットとに分割し、分割した上部ユニットを台車に載せて昇降路へ続く開口部真上に移動し、移動した台車上の上部ユニットを開口部上方に設置した吊元枠で吊上げておき、開口部上から台車を移動し、再び、下部ユニットを台車で開口部真上に移動させた後、吊上げた上部ユニットを台車上の下部ユニットの上に降ろして一体のユニットに締結し、締結したユニットを吊元枠で再び吊上げておき、開口部上から台車等を取除き、吊上げたユニットを降ろして組立てることを特徴とする。
【００１４】
これにより、最上階に位置する上下に長いユニットであっても開口部の真上において容易に仮組付けが可能となり、迅速に組立が完了するようになる。
【００１５】
また、この発明の請求項３によれば、上部ユニットと下部ユニットを、一体に締結した後に、ガイドレールを後付けする。
【００１６】
これにより、ガイドレールの後付けにより製造コストの低減が図れるようになる。
【００１９】
この発明の請求項４によれば、開口部の開口周縁に配置セットされるベース部材と、ベース部材から立上がる立枠と、立枠に両端支持され開口部を跨ぐ上梁と、上梁に設けられた滑車とで吊元枠を構成する一方、前記ベース部材に、滑車に掛け回わされた吊りロープを牽引制御する揚重機を設置し、吊元枠は、側方へ張り出した張り出し状態と収納された収納状態とに回動可能な支え枠によって支持されていることを特徴とする。
【００２２】
これにより、吊元枠の安定した支持状態が得られると共に、使用しない時は支え枠を収納状態とすることで、占有スペースが少なくなり、邪魔になることがなくなる。
【００２３】
また、この発明の請求項５によれば、吊元枠の解体時に滑車が設けられた上梁を、昇降路に沿って組立てられた最上階ユニットの最上部に設置してエレベータ機器等を上げ降ろしする吊元手段として利用することを特徴とする。
【００２４】
これにより、エレベータ機器等を上げ降ろしする新たな吊元手段の設置が不要になると共に、エレベータ機器等をを容易に上げ降ろしが行なえる簡便な吊上げ手段となる。
【００２５】
また、工事完了後は、取外しが簡単で徹収が容易となる。
【００２６】
【発明の実施の形態】
以下、図１乃至図１８の図面を参照しながらこの発明の実施の形態について具体的に説明する。
【００２７】
図４から図８はユニット工法を行なうためのユニットの搬入装置、図９から図１４はエレベータユニットの吊上げ装置をそれぞれ示している。
【００２８】
まず、図４から図８に示すユニットの搬入装置１について説明する。
【００２９】
搬入装置１は、３６０度回転可能な接地幅の長い一輪車３が前後に設けられた台車本体５と、台車本体５を前後に伸縮させる伸縮手段７と、運搬用の取手９とを備えた走行台車１１を左右に配置してユニット搬送台車１３とする構造となっている。
【００３０】
台車本体５の上面は、ユニット保持部材１４となっていて固定孔１５が設けられている。固定孔１５は、例えば図５に示すように、最上階ユニット１７ａを立てた状態で搬送する際には、最上階ユニット１７ａの座部をボルト止めする取付孔として機能する一方、図７、図８に示すように最上階ユニット１７ａを横置きの姿勢で搬送する際には、最上階ユニット１７ａのユニット枠を保持するアタッチメントとして用意された断面Ｕ字状の保持金具１９を取付ける取付孔として機能するようになっている。
【００３１】
台車本体５と台車本体５を前後に伸縮させる伸縮手段７は、台車本体５からそれぞれ延長された結合孔２１を有するロッド状の結合体２３と、結合孔２５を有する長さの異なる結合スリーブ２７と、結合スリーブ２７の前後にロッド状の結合体２３が挿入された状態で各結合孔２１，２５を貫通し結合スリーブ２７と結合体２３との連結を図る連結ピン２９とで構成されている。したがって、図５、図７に示すように長さの異なる結合スリーブ２７を選択することで、台車本体５の伸縮調整が行なえるようになっている。
【００３２】
一方、エレベータユニットの吊上げ装置３３は図９から図１４に示すように、左右一対のベース部材３５とベース部材３５から立上がる立枠３７と、立枠３７に両端支持された上梁３９と、上梁３９に設けられた一対の滑車４１とで吊元枠４３が構成され、一対の滑車４１によってバランスよく吊上げられるようになっている。ベース部材３５には前記滑車４１に掛け回された吊りロープ４５を牽引制御する揚重機４７が設置された構造となっている。
【００３３】
上梁３９は、図１１に示すように立枠３７の上部取付部４９にボルト５１、ナット５３により着脱自在に取付けられ、上梁３９を取外すことで、左右の立枠３７，３７及び上梁３９の３つに解体することが可能となり、現地への持ち運び及び設置が容易に行なえるようになっている。
【００３４】
立枠３７は、図１０に示すように側方へ張り出した張り出し状態（実線）と収納された収納状態（鎖線）とに回動可能な支え枠５５によって支持されている。
【００３５】
支え枠５５は、左右の支脚部５７と支脚部５７と支脚部５７とをつなぐ上下の固定支持部材５９で形成され、左右の支脚部５７は、図１２に示すようにヒンジ金具６１によって上下の立枠３７を中心として矢印の如く回動自在に支持されている。
【００３６】
支脚部５７と固定支持部材５９とは、図１３に示すように挟持金具６３によって一体に結合されている。挟持金具６３の各挟持部６５はボルト６７に螺合したナット６９を緩めることで支脚部５７及び固定支持部材５９の拘束解除が可能となり、ヒンジ金具６１を介して側方へ張り出す張り出し角度の調整が行なえると共に、固定支持部材５９を取外すことで収納状態（図１０鎖線）とに回動可能となっている。
【００３７】
次に、吊上げ装置３３及び搬入装置１３を用いたエレベータユニットの組立工法について、図１〜図３に基づき二階建てのケースについて説明する。
【００３８】
まず、図１（ａ）に示すように、昇降路７１に続く開口部７３の上方に吊上げ装置３３を設置する。（図では説明上滑車４１のみ示す。）
次に、図１（ｂ）及び図１５に示すように開口部７３上に左右の台車案内レール７５をかけ渡す。この場合、必ずしも台車案内レール７５でなくてもよく、開口部７３を塞ぐ盲状の一枚板であってもよい。
【００３９】
次に、図１（ｃ）に示すようにユニット搬入台車１３に載せた最下部に位置するピットユニット１７ｄを開口部７３の真上まで移動する。
【００４０】
次に、図２（ｄ）に示すようにピットユニット１７ｄを吊上げる。
【００４１】
次に、図２（ｅ）に示すように開口部７３上のユニット搬送台車１３及び台車案内レール７５を取り除いた後、つり上げてあるピットユニット１７ｄを開口部７３から昇降路７１に沿って下降させ、昇降路７１のピット部７７に設置固定する。
【００４２】
次に、ピットユニット１７ｄの設置完了後図２（ｆ）に示すように、再び開口部７３上に台車案内レール７５を設置し、ユニット搬送台車１３によって開口部７３の真上に、次にセットする出入口ユニット１７ｃを移動させる。開口部７３の真上に移動させた出入口ユニット１７ｃをピットユニット１７ｄと同じように滑車４１によって吊上げた後、開口部７３上からユニット搬送台車１３及び台車案内レール７５を取除き、吊上げてある出入口ユニット１７ｃを開口部７３から昇降路７１に沿って前記ピットユニット１７ｄの上に下降させる。下降完了後、ピットユニット１７ｄと出入口ユニット１７ｃとを一体に締結する。
【００４３】
続いて、図３（ｇ）に示すように、再び開口部７３上に台車案内レール７５を設置した後、ユニット搬送台車１３によって次にセットする中間ユニット１７ｂを開口部７３の真上に移動させた後、前記出入口ユニット１７ｃと同じ動作を繰り返すことで中間ユニット１７ｂを出入口ユニット１７ｃの上にセットした後、一体に締結する。
【００４４】
以下、図３（ｈ）（ｉ）に示すように最上階ユニット１７ａについても、前記動作を繰返すことで、最上階ユニット１７ａを出入口ユニット１７ｂの上に下降させ一体に組立てるものである。
【００４５】
この組立工法において、特に、上下寸法の長い最上階ユニット１７ａにあっては分割して組立てると便利である。
【００４６】
即ち、図１６（ａ）（ｂ）（ｃ）に示すように、最上階ユニット１７ａを上部ユニット１７ａ−１と下部ユニット１７ａ−２に分割し、ユニット搬送台車１３によって開口部７３の真上まで上部ユニット１７ａ−１を移動させた後、滑車４１によって上部ユニット１７ａ−１を吊上げておく。
【００４７】
続いて、ユニット搬送台車１３によって下部ユニット１７ａ−２を開口部７３の真上まで移動し、移動したユニット搬送台車１３上の下部ユニット１７ａ−２の上に上部ユニット１７ａ−１を降ろして一体に締結し、最上階ユニット１７ａとする。
【００４８】
次に開口部７３上で一体に組上げた最上階ユニット１７ａを吊上げ、開口部７３上のユニット搬送台車１３及び台車案内レール７５を取除いた後、開口部７３から中間ユニット１７ｂの上に降ろし締結することで、楽に、しかも、容易に組立てることができるようになる。
【００４９】
この実施形態の場合には、図１７に示すようにガイドレール７９を後付けすることで、ユニット組立時のコスト低減が図れる。
【００５０】
ガイドレール７９の後付け作業は、既に据付け完了後の中間ユニット１７ｂのガイドレール８１に対して、直尺８３を左右から当てることで、ガイドレール７９の垂直方向の芯出しが容易に行なえる。
【００５１】
一方、最上階ユニット１７ａまでの組立完了後、吊元枠４３を解体し、上梁３９を図１８に示すように最上階ユニット１７ａの上部枠に設置固定することで、エレベータ機器８５等を上げ降ろしする吊上げ手段として使用可能となる。これにより、新たな吊上げ装置が不要になると共に組立完了後の上梁３９の徹収も容易となる。
【００５２】
これら一連の動作において、各ユニットを開口部７３の真上で吊上げるため、メイン荷重は垂直荷重だけで済むようになり吊元枠４３を大型化しなくても各ユニットを容易に上げ降ろしすることが可能となる。
【００５３】
また、ユニットが横置きの姿勢で運ばれた場合でも、開口部７３の真上で吊上げるため、大きな揺れは起こらず、ユニットを抑える人員も１名で済むようになる。場合によっては必要としない。
【００５４】
また、ユニット搬送台車１３は、ユニットの大きさに対応して台車本体５を前後に伸縮させることで、縦置きの姿勢、あるいは、横置きの姿勢のユニットに対して最適な状態で支持搬送することが可能となるため、搬送用人員も取手９を操作する人員で済むようになる。
【００５５】
【発明の効果】
以上、説明したようにこの発明によれば、次のような効果を奏する。
【００５６】
（１）昇降路へ続く開口部の真上でユニットを吊上げるため、ユニット吊上げ時の大きな揺れは起こらず、しかも、吊上げ状態の横移動がなくなり、メインの垂直荷重で済むようになる。この結果、高い支持剛性は要求されず、開口部上方に設置した吊元枠でユニットの上げ降ろしができる。しかも、吊元枠の大型化が避けられるようになる。
【００５７】
（２）最上階ユニットのように上下に長い寸法の場合でも、上部ユニットと下部ユニットに分けて、開口部の真上で一体に締結することで容易に、しかも、楽に組立てることができる。この時、ガイドレールを後付けすることで、ユニット組立時の製造コストの低減が図れる。
【００５８】
（３）伸縮可能なユニット搬送台車によって、ユニットの大きさに影響されることなく搬送する人員が最少で済むと共に、使用しない時は左右の走行台車に分割できるためコンパクトに収納ができる。また、現地までの搬送が容易となる。
【００５９】
（４）吊元枠によって、開口部上方を跨ぐよう設置することができるため、大型化することなくユニットの上げ降ろしができる。また、搬送、設置が容易に行なうことができると共に、支え枠によって安定した支持状態が得られる。しかも、使用しない時は収納することで邪魔になることもない。
【００６０】
（５）吊元枠解体後の上梁を、最上階ユニットの最上位に設置することで吊元手段としての利用が図れる。
【００６１】
しかも、工事完了後は、取外しが簡単で徹収が容易となる。
【図面の簡単な説明】
【図１】（ａ），（ｂ），（ｃ）はこの発明にかかるエレベータユニットの組立工法を示した説明図。
【図２】（ｄ），（ｅ），（ｆ）はこの発明にかかるエレベータユニットの組立工法を示した説明図。
【図３】（ｇ），（ｈ），（ｉ）はこの発明にかかるエレベータユニットの組立工法を示した説明図。
【図４】搬入装置のユニット搬送台車を構成する片側の走行台車を示した概要平面図。
【図５】ユニット搬送台車にユニットを縦置きに設置した概要側面図。
【図６】図５のＸ−Ｘ線概要切断面図。
【図７】ユニット搬送台車にユニットを横置きに設置した概要側面図。
【図８】図７のＹ−Ｙ線概要切断面図。
【図９】吊上げ装置の吊元枠を開口部上方に設置した概要説明図。
【図１０】図９の概要平面図。
【図１１】図９のａ部の拡大説明図。
【図１２】図９のｂ部の拡大説明図。
【図１３】図９のｃ部の拡大説明図。
【図１４】吊元枠によって最上階ユニットを吊上げた状態の動作説明図。
【図１５】開口部上に台車案内レールを設置した説明図。
【図１６】（ａ），（ｂ），（ｃ）は最上階ユニットを上部ユニットと下部ユニットに分けて組立てる組立工法を示した説明図。
【図１７】（ａ），（ｂ）は最上階ユニットのガイドレールを後付けする説明図。
【図１８】吊元枠を解体した上梁を最上階ユニットの最上位にセットして吊元手段として使用する状態を示した概要説明図。
【符号の説明】
１３  ユニット搬送台車（台車）
１７ａ  最上階ユニット（ユニット）
４３  吊元枠
７１  昇降路
７３  開口部
【図１】
0004666750.tif 000002
【図２】
0004666750.tif 000003
【図３】
0004666750.tif 000004
【図４】
0004666750.tif 000005
【図５】
0004666750.tif 000006
【図６】
0004666750.tif 000007
【図７】
0004666750.tif 000008
【図８】
0004666750.tif 000009
【図９】
0004666750.tif 000010
【図１０】
0004666750.tif 000011
【図１１】
0004666750.tif 000012
【図１２】
0004666750.tif 000013
【図１３】
0004666750.tif 000014
【図１４】
0004666750.tif 000015
【図１５】
0004666750.tif 000016
【図１６】
0004666750.tif 000017
【図１７】
0004666750.tif 000018
【図１８】
0004666750.tif 000019